(57)【要約】  ブレスレット留め金（１）により、ブレスレット長を精密に調節することができる。カバー内の開口部を介して操作可能なホイール（１８）は、ブレスレットの一方の端部（２）をカバー（１０）に対して動かすように、ネジが切ってあるロッド（２０）のネジを回すために回転させることができる。
2010510844.tif 000002
【特許請求の範囲】
【請求項１】
カバー（１０）を備え、かつブレスレットを開けるかあるいは拡張するためにブレスレットの第一および第二端部を組立てるように設計されているブレスレット留め金（１）であって、
この留め金が、長手方向位置がカバー（１０）に対して固定されているホイール（１８）を備えており、ホイールの回転によりブレスレット長が調節できるブレスレット留め金（１）において、
ブレスレットの平面に対して平行な、ネジが切ってあるロッド（２０）を備えており、このネジが切ってあるロッドが、ブレスレットの第一端部（２）に連結しており、
前記第一端部（２）をカバー（１０）に対して動かすように、ホイールの回転により、ネジが切ってあるロッド（２０）のネジが回ることを特徴とするブレスレット留め金（１）。
【請求項２】
前記ホイール（１８）が穿孔を備えており、ネジが切ってあるロッド（２０）が、ホイールの回転により前記ホイール内の前記ロッドのネジが回るように、前記穿孔に係合していることを特徴とする請求項１記載のブレスレット留め金。
【請求項３】
前記ネジが切ってあるロッド（２０）が、前記ホイール（１８）としっかり一体化しており、
前記ネジが切ってあるロッド（２０）が、前記第一端部（２）の穿孔に係合しており、
従って、ネジが切ってあるロッド（２０）とホイール（１８）の回転により、前記穿孔内で前記ネジが切ってあるロッド（２０）のネジが回ることを特徴とする請求項１記載のブレスレット留め金。
【請求項４】
前記ネジが切ってあるロッド（２０）が、ブレスレットの長手方向軸線に対して平行であることを特徴とする請求項１〜３のいずれか１つに記載のブレスレット留め金。
【請求項５】
カバーが前記ネジが切ってあるロッド（２０）を覆っていることを特徴とする請求項１〜４のいずれか１つに記載のブレスレット留め金。
【請求項６】
カバー（１０）が閉じると、前記ホイール（１８）を作動させることができるように構成されていることを特徴とする請求項５記載のブレスレット留め金。
【請求項７】
前記カバー（１０）が開口部（２４）を備えており、この開口部によりホイール（１８）の外側面の部分への作業ができ、ブレスレット長を調節することができるように構成されていることを特徴とする請求項６記載のブレスレット留め金。
【請求項８】
前記ロッド（２０）により横切られる少なくとも１つのフレーム（２２）の補助により、前記ホイール（１８）がカバーの内側に対して保持されていることを特徴とする請求項５〜７のいずれか１つに記載のブレスレット留め金。
【請求項９】
広がっているブレード（５，８）を備えており、これらのブレードが、閉じた位置では前記カバー（１０）の下方に閉じており、かつ開いた位置ではカバー（１０）の外側に広がっていることを特徴とする請求項５〜８のいずれか１つに記載のブレスレット留め金。
【請求項１０】
前記広がっているブレードが、シャーシの二つの左右のブレード（８）の間に接近している中央ブレード（８）を備えており、前記中央ブレードが閉じた位置で前記シャーシと協働して唯一の幅部をふさぐように構成されていることを特徴とする請求項９記載のブレスレット留め金。
【請求項１１】
カバー（１０）が閉じていると、前記ネジが切ってあるロッド（２０）が、前記カバー（１０）と前記広がっているブレード（５，８）の間の空域内に隠れている
ことを特徴とする請求項９または１０に記載のブレスレット留め金。
【請求項１２】
前記広がっているブレード（５，８）のための少なくとも１つのプッシュボタン（１２）を有しており、かつ留め金を開けることができるように構成されていることを特徴とする請求項９〜１１のいずれか１つに記載のブレスレット留め金。
【請求項１３】
前記ネジが切ってあるロッド（２０）が、前記カバーの下方でスライドするブレスレットリンク（２）に連結していることを特徴とする請求項５〜１２のいずれか一つに記載のブレスレット留め金。
【請求項１４】
前記リンクが前記リンクの下方で、カバーの上側（２９）とカバーの案内部分（２８）の間で案内されていることを特徴とする請求項１３記載のブレスレット留め金。
【請求項１５】
前記カバー（１０）が、均一な肉厚のシート材から、折り曲げおよび押し型刻印により形成されていることを特徴とする請求項１４記載のブレスレット留め金。
【請求項１６】
前記ホイール（１８）の大部分が、カバー（１０）の下方に収容されていることを特徴とする請求項１〜１５のいずれか一つに記載のブレスレット留め金。
【発明の詳細な説明】
【技術分野】
【０００１】
本発明は、ブレスレットの留め金、特に時計のブレスレット用の広げられるバックルを備えた留め金に関する。
【背景技術】
【０００２】
従来技術において、広げられるバックルを備えたブレスレット留め金は、バックルが広げられ、次いで閉じた位置にある場合に手首の周囲に十分にしっかりと締付けられると、腕時計が容易にスリップできるものと知られている。このような留め金は、金属製の鎖の列で形成されたブレスレットと組合されて使用されることが特に多い。ブレスレットの長さの調節は、手首に合うように、ブレスレットから鎖の列を取去ることにより貴金属商の店の中で行われる。
【０００３】
従って、調節は鎖の長さに相応した工程でなされる。よって大きな鎖の場合における正確な調節は可能ではない。さらに、調節を一旦行うと、例えば作業中にあるいは腕時計を衣服の上から装着しなければならない場合に快適さを向上させるために調節の変更を行うのは難しい。
【０００４】
したがって、従来技術ではブレスレットの長さを細かく調節するための装置も知られている。特許文献１には留め金に一体化された連動機構が記載されている。この装置により、二つの窪み間の間隔に相応した増分の調節だけは可能になり、かつこの装置には調節を行うために開くべき留め金が必要である。しかしながら、調節の効果を即座に感じるためには、ブレスレットの長さを調節できることが好ましい。
【０００５】
特許文献２には、その動作のためにブレスレットの端部がホイールの回転軸の周りに巻付く、ホイールの補助を借りるブレスレットの長さを調節するための機構が記載されている。この軸はブレスレットの平面に対して垂直である。この機構は、その先端部が留め金内部の軸の周囲に巻付くのに十分可撓であるブレスレットにだけ適しているにすぎない。
留め金の幅は、巻かれたブレスレットを収容するために考慮しなければならない。
【０００６】
特許文献３には、一方の端部がレール上でスライドする原因となる、調節ホイールの補助を借りたブレスレットの長さを調節するための装置が記載されている。この調節装置は留め金とは一体ではない。ホイールの軸はブレスレット平面に対して垂直である。またこの解決手段には、ホイールの軸の周囲に巻付けるために一方の端部が必要である。
【０００７】
さらにブレスレットに対して垂直な軸線を備えたホイールの軸の周囲に巻付かれた端部を使用している類似の解決手段が特許文献４、特許文献５および特許文献６に記載されている。
【０００８】
特許文献７には、ケースに接近した、小さい調節ホイールの補助を借りたブレスレットの長さを調節するための装置が記載されている。小さい調節ホイールの軸線は、ブレスレットの平面に対して平行である。この解決手段には、上面が窪みを備えたブレスレットが必要である。
【０００９】
特許文献８には、その軸線がブレスレットの平面に対して垂直なホイールを使用した広げられたバックルを備えたブレスレット留め金が記載されている。歯付きのホイールは、留め金のカバーの下方で二つのラックに係合するように、ホイールの軸に取付けられている。この解決手段は複雑であり、かつカバーの下方で歯付きのホイールと両ラックを収容するためにかなり幅広の留め金を必要とする。
【００１０】
一般的に言えば、ブレスレットの平面に対して垂直な軸線を備えたホイールの使用有利ではない。実際のところ、ホイールは外縁部により容易に作用された留め金の上方で十分突出している。従ってホイールは留め金にかなりの厚さを加えており、この厚さは例えば手首がテーブル上に、もしくは衣服のスリーブ内に置かれていると心地よく感じない。
【先行技術文献】
【特許文献】
【００１１】
【特許文献１】スイス国特許第６６９５０１号明細書
【特許文献２】オーストリア国特許第３６０２５８号明細書
【特許文献３】米国特許第２００５／０２３７８６４号明細書
【特許文献４】独国特許第２６７３５９号明細書
【特許文献５】独国特許第２００２０３３６０号明細書
【特許文献６】仏国特許第４２７８４６号明細書
【特許文献７】米国特許第４９７７６１４号明細書
【特許文献８】欧州特許第１５８８６４２号明細書
【特許文献９】国際公開第２００６／０７９６０５号パンフレット
【発明の開示】
【発明が解決しようとする課題】
【００１２】
本発明の課題の一つは、ブレスレット長が細かく調節でき、かつ公知の留め金の制約が無いブレスレット留め金を提案することである。
【００１３】
本発明の別の課題は、製造し易く、信頼性が高く、操作し易く、そして身に付けていて快適な留め金を提案することである。
【００１４】
本発明の別の課題は、例えば鎖半分の長さに近い、十分な調節範囲を可能にすることである。
【課題を解決するための手段】
【００１５】
本発明によればこれらの課題は、特にブレスレットを開けるかあるいは広げるために、ブレスレットの第一および第二端部を組立てるために設計され、ブレスレットの平面に対して平行なネジが切ってあるロッドを有しているブレスレット留め金を用いることにより達せられる。ネジが切ってあるロッドは、ブレスレットの第一端部に連結している。長手方向位置がブレスレットの第二端部に対して固定されているホイールは、ホイールに対して第一端部を動かすように、ホイール内もしくは第一端部内でロッドのネジを回ために回転させることができる。
【００１６】
この解決手段は、特に従来技術と比べて長所を有しており、かなりの範囲にわたってブレスレットの長さを連続的に調節することができる。
【００１７】
さらに、ブレスレットの平面に対して垂直な軸線を備えたホイールを使用することによって、突出する部分の幅を減らすことができる。事実、このようなホイールは、ホイールの大部分がカバーの下方にあったとしても、ホイールの両側面部により簡単に操作することができる。
【発明を実施するための最良の形態】
【００１８】
本発明の実施形態の実例を添付した図により示した説明の中で述べる。
【図面の簡単な説明】
【００１９】
【図１】本発明による折畳まれた背後の留め金の斜視図である。
【図２】ホイールが調節範囲の第一最端にある、下方から見た、本発明による開放した留め金の斜視図である。
【図３】ホイールが調節範囲の第二先端部ある状態の、下方から見た、本発明による開いた留め金の斜視図である。
【図４】本発明による折畳まれた留め金の下方から見た図である。
【実施例】
【００２０】
以下の詳細な説明および請求の範囲において、“ブレスレット平面”とは、ブレスレットの下側により定義される平面、あるいは時計のダイヤルが上方を向いている状態で開いたブレスレットが平らに置かれている平面を意味する。ブレスレットの長手方向は、ブレスレット平面においてブレスレットの最大伸長部方向として定義される。横断方向はブレスレット平面において長手方向に対して垂直である。言い換えれば、横断方向は、一般的にブレスレットリンクを互いに連結しているピンの方向である。ブレスレットもしくは留め金の下側は、ブレスレットを付けた際に手首に対して向けられた側である。外側は下側と対向している。
【００２１】
図１〜４に示したブレスレット留め金は、展開しているブレード５，８の上方で閉じる金属製カバー１０を備えている。この実施例において、カバーは型抜きされ、次いで折り曲げられた、均一な幅の金属製板から形成されている。剛体ブロックから機械加工されたカバーであれば、いかなる折り曲げ工程も無いことも考えられる。図示した展開しているブレードは、中央ブレード５を備えており、この中央ブレードはシャーシ８の二つの脚部の間の空域内の折畳み戻される位置に嵌め込まれる。ブレード５とシャーシ８は、図４におけるように、折畳み戻された位置で単一の厚さとなっている。折畳みブレードの他の構造は、蝶タイプの留め金を含めて、本発明の構成の範囲内で使用することができる。
【００２２】
留め金は、出願人名義の特許文献９に記載されているプッシュボタン機構１２によりロックすることができる。プッシュボタン１２を図示していないバネの作用に抗して押戻すと、キノコ形のストッパ１４を横断方向へ動かすことができる。図４に示した静止位置において、切欠きの縁部がストッパの頭部により保持されるシャーシ８の脚部の導入を妨げるように、ストッパ１４は、留め金の各側面外側に向かってバネによって押戻される。留め金を開けるためには、二つのストッパ１４が中央ブレード５の側の開口部１６に向かって動くように、プッシュボタン１４を押す必要がある。開口部の直径はストッパ頭部を通過させ、ブレードを展開させるのに十分である。
【００２３】
中央ブレード５は、軸線１３を通ってカバー１０と関節を使用した様式で連結している。シャーシ８も関節を使用した様式でブレスレット３の第二端部と連結しており、すなわち前記シャーシはこの第二端部により連結部分に連結している。
【００２４】
ブレスレットの第一端部２は、ブレスレット長を調節するために、ブレスレットの第一端部を長手方向にスライドさせることができる機構により留め金と連結している。本発明によれば、この機構はネジが切ってあるロッド２０に設けられたホイール１８を備えている。ロッド２０の外側の少なくとも一部にネジが切ってあれば十分である。ホイールの軸線とロッドの軸線は双方ともブレスレットの長手方向軸線に対して平行である。ホイール１８の側面部分はホイールが留め金を開けることなく操作できるように、カバー１０の上側２９で長方形の開口部２４を横切っている。快適さを増すために、ホイールはカバーの上側２９の上に多くても数ミリだけ突出している。したがってホイール体積の大部分は、恒久的にカバーの表面の下にある。ホイールの側面は、つかみ易くするために溝の入ったおよび／またはリブの付いた輪郭形状１９を備えている。
【００２５】
ネジが切ってあるロッド２０とホイール１８は、特に図３で見た目に明らかなフレーム２２によりこの実施例ではカバーの内側に連結している。フレームはホイールの各部分上を横切る二つの側面部を備えており、これらの側面部はホイールが枢着および／またはスライドできるように十分な遊びをもって、ロッド２０により横切られている。両側面部はカバーに対して平行に、アーチによって互いに連結しており、このアーチに抗してシャーシ８は留め金が折畳まれると停止する。従ってホイール１８に対する、留め金のブレード５，８の圧力を避けることができる。カバーの内側に対するブレード５，８の移動を制限するために、別の同等な停止部材を設けることができる。
【００２６】
本発明の第一の実施例において、ネジが切ってあるロッド２０は、ホイール１８内部の（図示していない）穿孔に係合しており、従ってホイールが回転することにより、ホイール１８内でロッドがネジの締まる方向あるいは緩む方向へ回り、かつ第一端部２を駆動するロッドが軸方向へ移動する。実施例において、ネジが切ってあるロッド２０は、ホイール１８と固定されて一体になっており、かつホイールと共に回転する。すなわち、このロッドの他の末端部は、端部２内の穿孔に係合している。この変形により、留め金の組立を容易にすることができる。
【００２７】
端部２の末端部はカバー１０の内側により長手方向移動時に案内される。さらに正確には、この端部は側面部２７間では横方向へ、かつ上側２９と、下側の開始部を定義している折畳まれた背面部分２８の間では上方へと案内される。ネジもしくはピン２６は、カバーの側面部２７を横切っており、かつ端部２の走行距離を制限し、かつ例えば端部がカバーから完全に抜け出るように、端部２の二つの側面側の各々で、（図示していない）横長の開口部に係合するようになっている。二つの極端な長手方向位置は、図２および３に示してある。調節される長手方向位置の保持は、ホイールもしくは端部における対応するネジ山とネジが切ってあるロッドのかなりの摩擦係数により保証されている。プッシュボタン、ネジあるいはいずれかの適切な機構を含む別のロック部材が、調節された位置の不慮の損失を防ぐために設けられている。好ましい実施例において、図示していない
ホイール１８の両長手方向側でのリングガスケットは、フレーム２２の二つの横方向側面部と擦れ、ことによるとカバーの縁部と擦れ、ホイールを操作するのに必要なトルクが増大する。
【００２８】
図４で特に示した折畳まれた位置において、留め金のブレード５，８は、埃、砂および汗から保護するために、カバー下方のロッドとホイールの部分の大部分を覆い隠す。
【符号の説明】
【００２９】
１      留め金
２      ブレスレットの第一端部
３      ブレスレットの第二端部
５      折畳み可能なブレード：中央ブレード
８      折畳み可能なブレード：シャーシ
１０    カバー
１２    プッシュボタン
１３    カバーに対する端部５の締付け軸線
１４    可動ストッパ
１５    シャーシの開口部
１６    中央端部の開口部
１８    ホイール
１９    ホイールのリブの付いた輪郭形状
２０    ネジが切ってあるロッド
２２    フレーム
２４    カバーを貫通する開口部
２６    第一端部の案内ロッド
２７    カバーの側面
２８    カバー下方の案内部分
２９    カバーの上側
【図１】
2010510844.tif 000003
【図２】
2010510844.tif 000004
【図３】
2010510844.tif 000005
【図４】
2010510844.tif 000006
【手続補正書】
【提出日】平成21年8月25日(2009.8.25)
【手続補正１】
【補正対象書類名】明細書
【補正対象項目名】全文
【補正方法】変更
【補正の内容】
【発明の詳細な説明】
【技術分野】
【０００１】
本発明は、ブレスレットの留め金、特に時計のブレスレット用の広げられるバックルを備えた留め金に関する。
【背景技術】
【０００２】
従来技術において、広げられるバックルを備えたブレスレット留め金は、バックルが広げられ、次いで閉じた位置にある場合に手首の周囲に十分にしっかりと締付けられると、腕時計が容易にスリップできるものと知られている。このような留め金は、金属製の鎖の列で形成されたブレスレットと組合されて使用されることが特に多い。ブレスレットの長さの調節は、手首に合うように、ブレスレットから鎖の列を取去ることにより貴金属商の店の中で行われる。
【０００３】
従って、調節は鎖の長さに相応した工程でなされる。よって大きな鎖の場合における正確な調節は可能ではない。さらに、調節を一旦行うと、肉体的作業を行っている間に、あるいは腕時計を衣服の上からもしくはつなぎ服の上から装着しなければならない場合に、例えば快適さを向上させるために鎖の長さの調節の変更を行うのは難しい。
【０００４】
したがって、従来技術ではブレスレットの長さを細かく調節するための装置も知られている。特許文献１には留め金に一体化された連動機構が記載されている。この装置により、二つの窪み間の間隔に相応した増分の調節だけは可能になり、かつこの装置には調節を行うために開くべき留め金が必要である。しかしながら、調節の効果を即座に感じるためには、ブレスレットの長さを調節できることが好ましい。
【０００５】
特許文献２には、その動作のためにブレスレットの端部がホイールの回転軸の周りに巻付く、ホイールの補助を借りるブレスレットの長さを調節するための機構が記載されている。この軸はブレスレットの平面に対して垂直である。この機構は、その先端部が留め金内部の軸の周囲に巻付くのに十分可撓であるブレスレットにだけ適しているにすぎない。留め金の幅は、巻かれたブレスレットを収容するために考慮しなければならない。
【０００６】
特許文献３には、一方の端部がレール上でスライドする原因となる、調節ホイールの補助を借りたブレスレットの長さを調節するための装置が記載されている。この調節装置は留め金とは一体ではない。ホイールの軸はブレスレット平面に対して垂直である。またこの解決手段には、ホイールの軸の周囲に巻付けるために一方の端部が必要である。
【０００７】
さらにブレスレットに対して垂直な軸線を備えたホイールの軸の周囲に巻付かれた端部を使用している類似の解決手段が特許文献４、特許文献５および特許文献６に記載されている。
【０００８】
特許文献７には、ケースに接近した、小さい調節ホイールの補助を借りたブレスレットの長さを調節するための装置が記載されている。小さい調節ホイールの軸線は、ブレスレットの平面に対して平行である。この解決手段には、上面が窪みを備えたブレスレットが必要である。
【０００９】
特許文献８には、その軸線がブレスレットの平面に対して垂直なホイールを使用した広げられたバックルを備えたブレスレット留め金が記載されている。歯付きのホイールは、留め金のカバーの下方で二つのラックに係合するように、ホイールの軸に取付けられている。この解決手段は複雑であり、かつカバーの下方で歯付きのホイールと両ラックを収容するためにかなり幅広の留め金を必要とする。
【００１０】
一般的に言えば、ブレスレットの平面に対して垂直な軸線を備えたホイールの使用有利ではない。実際のところ、ホイールは外縁部により容易に作用された留め金の上方で十分突出している。従ってホイールは留め金にかなりの厚さを加えており、この厚さは例えば手首がテーブル上に、もしくは衣服のスリーブ内に置かれていると心地よく感じない。
【先行技術文献】
【特許文献】
【００１１】
【特許文献１】スイス国特許第６６９５０１号明細書
【特許文献２】オーストリア国特許第３６０２５８号明細書
【特許文献３】米国特許第２００５／０２３７８６４号明細書
【特許文献４】独国特許第２６７３５９号明細書
【特許文献５】独国特許第２００２０３３６０号明細書
【特許文献６】仏国特許第４２７８４６号明細書
【特許文献７】米国特許第４９７７６１４号明細書
【特許文献８】欧州特許第１５８８６４２号明細書
【特許文献９】国際公開第２００６／０７９６０５号パンフレット
【発明の開示】
【発明が解決しようとする課題】
【００１２】
本発明の課題の一つは、ブレスレット長が細かく調節でき、かつ公知の留め金の制約が無いブレスレット留め金を提案することである。
【００１３】
本発明の別の課題は、製造し易く、信頼性が高く、操作し易く、そして身に付けていて快適な留め金を提案することである。
【００１４】
本発明の別の課題は、例えば鎖半分の長さに近い、十分な調節範囲を可能にすることである。
【課題を解決するための手段】
【００１５】
本発明によればこれらの課題は、特にブレスレットを開けるかあるいは広げるために、ブレスレットの第一および第二端部を組立てるために設計され、ブレスレットの平面に対して平行なネジが切ってあるロッドを有しているブレスレット留め金を用いることにより達せられる。ネジが切ってあるロッドは、ブレスレットの第一端部に連結している。長手方向位置がブレスレットの第二端部に対して固定されているホイールは、ホイールに対して第一端部を動かすように、ホイール内もしくは第一端部内でロッドのネジを回ために回転させることができる。
【００１６】
この解決手段は、特に従来技術と比べて長所を有しており、かなりの範囲にわたってブレスレットの長さを連続的に調節することができる。
【００１７】
さらに、ブレスレットの平面に対して垂直な軸線を備えたホイールを使用することによって、突出する部分の幅を減らすことができる。事実、このようなホイールは、ホイールの大部分がカバーの下方にあったとしても、ホイールの両側面部により簡単に操作することができる。
【発明を実施するための最良の形態】
【００１８】
本発明の実施形態の実例を添付した図により示した説明の中で述べる。
【図面の簡単な説明】
【００１９】
【図１】本発明による折畳まれた背後の留め金の斜視図である。
【図２】ホイールが調節範囲の第一最端にある、下方から見た、本発明による開放した留め金の斜視図である。
【図３】ホイールが調節範囲の第二先端部ある状態の、下方から見た、本発明による開いた留め金の斜視図である。
【図４】本発明による折畳まれた留め金の下方から見た図である。
【実施例】
【００２０】
以下の詳細な説明および請求の範囲において、“ブレスレット平面”とは、ブレスレットの下側により定義される平面、あるいは時計のダイヤルが上方を向いている状態で開いたブレスレットが平らに置かれている平面を意味する。ブレスレットの長手方向は、ブレスレット平面においてブレスレットの最大伸長部方向として定義される。横断方向はブレスレット平面において長手方向に対して垂直である。言い換えれば、横断方向は、一般的にブレスレットリンクを互いに連結しているピンの方向である。ブレスレットもしくは留め金の下側は、ブレスレットを付けた際に手首に対して向けられた側である。外側は下側と対向している。
【００２１】
図１〜４に示したブレスレット留め金は、展開しているブレード５，８の上方で閉じる金属製カバー１０を備えている。この実施例において、カバーは型抜きされ、次いで折り曲げられた、均一な幅の金属製板から形成されている。剛体ブロックから機械加工されたカバーであれば、いかなる折り曲げ工程も無いことも考えられる。図示した展開しているブレードは、中央ブレード５を備えており、この中央ブレードはシャーシ８の二つの脚部の間の空域内の折畳み戻される位置に嵌め込まれる。ブレード５とシャーシ８は、図４におけるように、折畳み戻された位置で単一の厚さとなっている。折畳みブレードの他の構造は、蝶タイプの留め金を含めて、本発明の構成の範囲内で使用することができる。
【００２２】
留め金は、出願人名義の特許文献９に記載されているプッシュボタン機構１２によりロックすることができる。プッシュボタン１２を図示していないバネの作用に抗して押戻すと、キノコ形のストッパ１４を横断方向へ動かすことができる。図４に示した静止位置において、切欠きの縁部がストッパの頭部により保持されるシャーシ８の脚部の導入を妨げるように、ストッパ１４は、留め金の各側面外側に向かってバネによって押戻される。留め金を開けるためには、二つのストッパ１４が中央ブレード５の側の開口部１６に向かって動くように、プッシュボタン１４を押す必要がある。開口部の直径はストッパ頭部を通過させ、ブレードを展開させるのに十分である。
【００２３】
中央ブレード５は、軸線１３を通ってカバー１０と関節を使用した様式で連結している。シャーシ８も関節を使用した様式でブレスレット３の第二端部と連結しており、すなわち前記シャーシはこの第二端部により連結部分に連結している。
【００２４】
ブレスレットの第一端部２は、ブレスレット長を調節するために、ブレスレットの第一端部を長手方向にスライドさせることができる機構により留め金と連結している。本発明によれば、この機構はネジが切ってあるロッド２０に設けられたホイール１８を備えている。ロッド２０の外側の少なくとも一部にネジが切ってあれば十分である。ホイールの軸線とロッドの軸線は双方ともブレスレットの長手方向軸線に対して平行である。ホイール１８の側面部分はホイールが留め金を開けることなく操作できるように、カバー１０の上側２９で長方形の開口部２４を横切っている。快適さを増すために、ホイールはカバーの上側２９の上に多くても数ミリだけ突出している。したがってホイール体積の大部分は、恒久的にカバーの表面の下にある。ホイールの側面は、つかみ易くするために溝の入ったおよび／またはリブの付いた輪郭形状１９を備えている。  
【００２５】
ネジが切ってあるロッド２０とホイール１８は、特に図３で見た目に明らかなフレーム２２によりこの実施例ではカバーの内側に連結している。フレームはホイールの各部分上を横切る二つの側面部を備えており、これらの側面部はホイールが枢着および／またはスライドできるように十分な遊びをもって、ロッド２０により横切られている。両側面部はカバーに対して平行に、アーチによって互いに連結しており、このアーチに抗してシャーシ８は留め金が折畳まれると停止する。従ってホイール１８に対する、留め金のブレード５，８の圧力を避けることができる。カバーの内側に対するブレード５，８の移動を制限するために、別の同等な停止部材を設けることができる。
【００２６】
本発明の第一の実施例において、ネジが切ってあるロッド２０は、ホイール１８内部の（図示していない）穿孔に係合しており、従ってホイールが回転することにより、ホイール１８内でロッドがネジの締まる方向あるいは緩む方向へ回り、かつ第一端部２を駆動するロッドが軸方向へ移動する。実施例において、ネジが切ってあるロッド２０は、ホイール１８と固定されて一体になっており、かつホイールと共に回転する。すなわち、このロッドの他の末端部は、端部２内の穿孔に係合している。この変形により、留め金の組立を容易にすることができる。
【００２７】
端部２の末端部はカバー１０の内側により長手方向移動時に案内される。さらに正確には、この端部は側面部２７間では横方向へ、かつ上側２９と、下側の開始部を定義している折畳まれた背面部分２８の間では上方へと案内される。ネジもしくはピン２６は、カバーの側面部２７を横切っており、かつ端部２の走行距離を制限し、かつ例えば端部がカバーから完全に抜け出るように、端部２の二つの側面側の各々で、（図示していない）横長の開口部に係合するようになっている。二つの極端な長手方向位置は、図２および３に示してある。調節される長手方向位置の保持は、ホイールもしくは端部における対応するネジ山とネジが切ってあるロッドのかなりの摩擦係数により保証されている。プッシュボタン、ネジあるいはいずれかの適切な機構を含む別のロック部材が、調節された位置の不慮の損失を防ぐために設けられている。好ましい実施例において、図示していない
ホイール１８の両長手方向側でのリングガスケットは、フレーム２２の二つの横方向側面部と擦れ、ことによるとカバーの縁部と擦れ、ホイールを操作するのに必要なトルクが増大する。
【００２８】
図４で特に示した折畳まれた位置において、留め金のブレード５，８は、埃、砂および汗から保護するために、カバー下方のロッドとホイールの部分の大部分を覆い隠す。
【符号の説明】
【００２９】
１      留め金
２      ブレスレットの第一端部
３      ブレスレットの第二端部
５      折畳み可能なブレード：中央ブレード
８      折畳み可能なブレード：シャーシ
１０    カバー
１２    プッシュボタン
１３    カバーに対する端部５の締付け軸線
１４    可動ストッパ
１５    シャーシの開口部
１６    中央端部の開口部
１８    ホイール
１９    ホイールのリブの付いた輪郭形状
２０    ネジが切ってあるロッド
２２    フレーム
２４    カバーを貫通する開口部
２６    第一端部の案内ロッド
２７    カバーの側面
２８    カバー下方の案内部分
２９    カバーの上側
【手続補正２】
【補正対象書類名】図面
【補正対象項目名】図１
【補正方法】変更
【補正の内容】
【図１】
2010510844.tif 000007
【手続補正３】
【補正対象書類名】図面
【補正対象項目名】図２
【補正方法】変更
【補正の内容】
【図２】
2010510844.tif 000008
【国際調査報告】
2010510844.tif 000009
2010510844.tif 000010
2010510844.tif 000011
2010510844.tif 000012